(57)【要約】【課題】月次表示など、一年周期で表示が変化する一年周期表示部において、その時間経過を直感的に把握することができる時計を提供することにある。【解決手段】時計１は、一年間で一周期となる表示を行う一年周期表示部５０と、駆動源と、駆動源からの動力を一年周期表示部５０に伝達する輪列とを備える。輪列は、１日に所定角度回転する日星車６４と、日星車６４の回転を減速して伝達する月次表示車５５とを備える。一年周期表示部５０は、前記月次表示車５５によって駆動されて一年周期の情報を表示する一年周期指示針５１を備える。月次表示車５５は、１日に所定角度回転する日星車６４の回転が減速して伝達されるため、一年周期指示針５１も１日経過するごとに所定角度移動する。このため、日々の時間経過に連動して変化する表示を行うことができ、利用者は時間経過を直感的に把握することができる。【選択図】図５
2010121943.tif 000002
【特許請求の範囲】
【請求項１】
一年間で一周期となる表示を行う一年周期表示部と、
駆動源と、
前記駆動源からの動力を前記一年周期表示部に伝達する輪列とを備え、
前記輪列は、１日に所定角度回転する第１歯車と、前記第１歯車の回転を減速して伝達する第２歯車とを備え、
前記一年周期表示部は、前記第２歯車によって駆動されて一年周期の情報を表示する一年周期表示部材を備えることを特徴とする時計。
【請求項２】
請求項１に記載の時計において、
前記第１歯車によって駆動されて日の情報を指示する日表示部材を備えることを特徴とする時計。
【請求項３】
請求項２に記載の時計において、
前記一年周期表示部材および日表示部材は、各回転軸が同軸上に配置されていることを特徴とする時計。
【請求項４】
請求項３に記載の時計において、
前記輪列は、第１歯車の回転を第２歯車に伝達する中間歯車を備え、
前記第１歯車は、前記日表示部材が取り付けられる回転軸を備え、
前記第２歯車は、前記第１歯車の回転軸が挿通され、かつ一年周期表示部材が取り付けられる筒部を備えて前記第１歯車の回転軸で軸支され、
前記第１歯車には、第１歯車のふらつきを抑止するジャンパが係合している
ことを特徴とする時計。
【請求項５】
請求項４に記載の時計において、
前記第１歯車の回転軸には、中間歯車に噛み合うかなが設けられ、
前記第２歯車は、前記かなの表面に接触して配置されていることを特徴とする時計。
【発明の詳細な説明】
【技術分野】
【０００１】
本発明は、１〜１２月や春夏秋冬などの一年周期の情報を表示する一年周期表示部を有する時計に関する。
【背景技術】
【０００２】
時計において、１〜１２月の月を表示する月次表示機構を備えたアナログ式の時計が知られている（例えば特許文献１参照）。
このような従来の時計においては、１〜１２月の目盛を指針で指示して現在の月を表示している。この際、この指針は、一ヶ月間は同じ位置を指示して停止しており、月が切り替わる際に次の月を指示する位置まで移動していた。
【０００３】
【特許文献１】特開２００３−２４０８７５号公報
【発明の開示】
【発明が解決しようとする課題】
【０００４】
以上のような月次表示では、月初めでも月の終わりでも、指針は月が切り替わらない限り同じ位置を指示し続けている。このため、別途、日の表示を確認しなければならず、月次表示のみでは、現在、月初めなのか、月の終わりなのかが分からないという問題があった。このため、日々経過していく時間感覚とは異なり、停止した表示となり、一年周期の時間経過を直感的に把握しにくいという問題があった。
【０００５】
本発明の目的は、月次表示など、一年周期で表示が変化する一年周期表示部において、
その時間経過を直感的に把握することができる時計を提供することにある。
【課題を解決するための手段】
【０００６】
本発明の時計は、一年間で一周期となる表示を行う一年周期表示部と、駆動源と、前記駆動源からの動力を前記一年周期表示部に伝達する輪列とを備え、前記輪列は、１日に所定角度回転する第１歯車と、前記第１歯車の回転を減速して伝達する第２歯車とを備え、前記一年周期表示部は、前記第２歯車によって駆動されて一年周期の情報を表示する一年周期表示部材を備えることを特徴とする。
【０００７】
ここで、一年周期表示部材とは、１〜１２月までの各月を表示する月次表示用の部材や、春夏秋冬の四季を表示する四季表示用の部材、さらには一年間での昼夜の長さの変化を示す部材など、一年周期で変化する情報を指示する各種部材が利用できる。
また、これらの部材の具体的な構成としては、前記第２歯車で回転する指針や円板などが利用できる。また、指針の駆動方式としては、通常の時計の時分針のように一方向に回転するものや、指針を扇形に移動させるレトログラード等を利用することができる。
【０００８】
本発明では、一年周期表示部材を回転する第２歯車は、１日に所定角度回転する第１歯車の回転が減速して伝達されるため、第２歯車は１日経過するごとに所定角度回転する。このため、第２歯車で駆動される一年周期表示部材も、１日経過するごとに所定角度移動するため、日々の時間経過に連動して変化する表示を行うことができ、利用者は時間経過を直感的に把握することができる。
【０００９】
本発明において、前記第１歯車によって駆動されて日の情報を指示する日表示部材を備えることが好ましい。
日表示部材としては、１〜３１日までの日を表示するものであればよく、リング状の日車でもよいし、１〜３１日の目盛を指針で指示して表示するものでもよい。
このような日表示部材を備えていれば、利用者は、一年周期表示部材によって各月や季節を把握できる上、日表示部材によって各月における日も容易に把握することができる。
【００１０】
本発明では、前記一年周期表示部材および日表示部材は、各回転軸が同軸上に配置されていることが好ましい。
例えば、一年周期表示部材として、月を示す短針を用い、日表示部材として、日を示す長針を用い、通常の時針および分針と同様に、長短２つの指針で月および日を表示すればよい。
【００１１】
一年周期表示部材および日表示部材を同軸上に配置すれば、各部材の回転軸を別々の場所で駆動する場合に比べてスペース効率を向上することができる。
【００１２】
本発明において、前記輪列は、第１歯車の回転を第２歯車に伝達する中間歯車を備え、前記第１歯車は、前記日表示部材が取り付けられる回転軸を備え、前記第２歯車は、前記第１歯車の回転軸が挿通され、かつ一年周期表示部材が取り付けられる筒部を備えて前記第１歯車の回転軸で軸支され、前記第１歯車には、第１歯車のふらつきを抑止するジャンパが係合していることが好ましい。
【００１３】
本発明では、第２歯車を第１歯車の回転軸で軸支しているので、前記回転軸に中間パイプを配置し、その中間パイプに第２歯車を取り付ける場合に比べてスペース効率を向上することができる。
また、第１歯車にジャンパを係合しているので、第１歯車に取り付けられる日表示部材のがたつき、ふらつきを抑止することができる。さらに、第１歯車は中間歯車を介して第２歯車に連動しているので、第２歯車にジャンパを係合しなくても、第２歯車および第２歯車に取り付けられる一年周期表示部材のがたつき、ふらつきを抑止することができる。さらに、一年周期表示部材用のジャンパを別途設ける必要がないため、スペース効率を向上することができる。その上、第２歯車にジャンパを設けていないので、第２歯車がジャンパで押圧されて第１歯車の回転軸に圧接することもなく、摩擦による負荷も低減でき、使用エネルギー効率を向上できる。
【００１４】
本発明において、前記第１歯車の回転軸には、中間歯車に噛み合うかなが設けられ、前記第２歯車は、前記かなの表面に接触して配置されていることが好ましい。
本発明では、第１歯車および第２歯車を上下に重ねて配置できるので、各歯車の配置スペースの高さ寸法を小さくでき、薄型化することができる。
【発明を実施するための最良の形態】
【００１５】
以下、本発明の実施形態を図面に基づいて説明する。
なお、後述する第二実施形態において、以下に説明する第一実施形態での構成部材と同じ構成部材および同等な機能を有する構成部材には、同一符号を付し、説明を省略する。
【００１６】
〔第１実施形態〕
図１は、本実施形態の時計１の外観図である。
時計１は、駆動装置であるムーブメント２と、このムーブメント２を収容するケース３とを備えた腕時計（ウォッチ）である。時計１は、アナログクォーツ時計として構成され、ムーブメント２には、文字板４が取り付けられており、文字板４の略中央には、駆動源としてのステッピングモータで駆動される輪列に取り付けられた秒針１１、分針１２、時針１３が配置されている。
なお、時計の種類は、駆動源としてステップモータを用いたアナログクォーツ時計に限らず、駆動源としてゼンマイを用いた機械式時計や、ゼンマイを駆動源とし、このゼンマイで駆動される発電機で調速する電子制御式機械時計でもよい。
【００１７】
さらに、本実施形態の時計１は、文字板４の中心に対して６時方向には２４時間周期表示部２０および曜表示部３０が設けられている。また、１２時方向には月齢を表示する月齢表示部４０が設けられている。さらに、３時方向には一年周期表示部５０および日表示部６０が設けられている。
【００１８】
２４時間周期表示部２０は、２４時指示針２１と、この２４時指示針２１で指示される目盛２２とを備えている。目盛２２は、１〜２４時までの各時間を示す目盛が表示されている。
【００１９】
曜表示部３０は、２４時指示針２１と同軸に設けられた曜指示針３１と、この曜指示針３１で指示される目盛３２とを備えている。目盛には、月〜土までの曜日を示す文字が表示されている。
【００２０】
月齢表示部４０は、月齢車４１を備え、この月齢車４１は５９日で１回転するように構成されている。月齢車４１には、月を示す絵が中心軸を挟んでほぼ対向する２箇所に記載されており、文字板４に形成された表示窓４２から月齢車４１の一部が表示され、前記月の絵の表示割合によって月齢を表示できるように構成されている。
【００２１】
一年周期表示部５０は、一年周期指示針５１と、この一年周期指示針５１の裏側に配置された一年周期指示板５２とを備えている。
一年周期指示板５２には、昼の長さと夜の長さの変化を示す図案が記載されている。すなわち、一年周期指示板５２において、夜を示す円形の領域５２Ａを、一年周期指示針５１の回転中心からずらして配置し、領域５２Ａの外側に昼の領域５２Ｂを設けている。このため、一年周期指示針５１で指示される部分は、一年周期指示針５１の回転に伴い、昼の部分の長さが変化する。これにより、一年において最も昼の時間が長い夏至から、最も短い冬至を経て、再度夏至に戻るまでの一年間の昼夜の時間の移り変わりを、一年周期指示針５１で指示することができる。
【００２２】
日表示部６０は、日指示針６１と、一年周期指示板５２の外側に設けられた日付目盛６２とを備えている。日指示針６１は、一年周期指示針５１に比べて長さ寸法が長い長針とされている。また、日付目盛６２は、日指示針６１で１〜３１日を指示することができるように設けられている。
後述するように、一年周期指示針５１と、日指示針６１とは、連動して駆動され、日指示針６１が１回転すると、一年周期指示針５１が３６０／１２＝３０度回転するように設定されている。
【００２３】
次に、本実施形態のムーブメント２の構造について説明する。
図２は、ムーブメント２における２４時間周期表示部２０、曜表示部３０、月齢表示部４０、一年周期表示部５０、日表示部６０の構造を示す平面図である。なお、図２では、図１に示すリュウズ８０が設けられるムーブメント２の３時位置を図面上側、９時位置を図面下側、１２時位置を図面左側、６時位置を図面右側にして記載している。
【００２４】
ムーブメント２の平面中心位置には、図３にも示すように、筒車１５が設けられている。この筒車１５は、時針１３が装着され、図示略の駆動源（ステップモータやゼンマイ）と、この駆動源からの動力を伝達する輪列とを介して回転されている。従って、筒車１５は、通常の時計と同様に、１２時間で１回転し、時針１３を１日で２回転させて現在の時刻を指示する。
なお、筒車１５の中心軸部分には、通常の時計と同様に、分針１２が取り付けられる筒カナと、秒針１１が取り付けられる四番車のカナ（秒カナ）とが配置されている。これらの筒カナや四番車も、通常の時計と同様に、駆動源からの輪列で駆動される。
【００２５】
［月齢表示部］
月齢表示部４０は、図２，３に示すように、前記月齢車４１と、月齢回し車４３と、月齢抑制ジャンパ４４と、月齢修正レバー４５とを備えている。
月齢車４１は、カレンダースペーサ４６に回転自在に軸支されている。また、文字板４に形成された月齢表示窓４２を介して月齢車４１の表面の略半分が文字板４側から視認できるようにされている。
【００２６】
月齢回し車４３は、カレンダー下座４７に回転自在に軸支され、前記筒車１５の筒歯車１５Ａに噛み合って配置されている。この際、月齢回し車４３は、筒車１５が２回転すると１回転する減速比に設定されている。従って、月齢回し車４３は１日で１回転することになる。
この月齢回し車４３のカナ部分には、バネ部４３Ｂを介して月齢車送り爪４３Ａが設けられている。この月齢車送り爪４３Ａは、月齢車４１の歯に係合している。ここで、月齢車４１の歯数は５９とされ、かつ、前記月齢車送り爪４３Ａによって１日に１歯分回転されるように設定されている。このため、月齢車４１は、５９日で１回転することになる。月齢車４１には、前述したように、回転中心を挟んでほぼ対向する２箇所に月の絵が記載されている。このため、月齢表示窓４２の表示は、月齢車４１が半周回転するごとに、つまり２９．５日周期毎に、月の絵が表示されていない新月表示から次の新月表示に変化する。
【００２７】
月齢抑制ジャンパ４４は、バネ部を介して、前記月齢車４１の歯溝に係合している。従って、月齢車４１が月齢回し車４３の月齢車送り爪４３Ａや、後述する月齢修正レバー４５で回転される場合、月齢抑制ジャンパ４４により、月齢車４１は１ピッチ毎に回転する。この月齢抑制ジャンパ４４により、月齢車４１のがたつきやふらつきが抑止されている。
【００２８】
月齢修正レバー４５は、回転軸４５Ａを中心に回動可能に構成され、一端側には前記月齢車４１の歯に係合可能な修正送り爪４５Ｂが設けられている。この月齢修正レバー４５の他端側は、ムーブメント２の外周から突出し、時計１のケース３外部から押し込み操作可能な操作部４５Ｃとされている。この月齢修正レバー４５は、一端側から連続して形成されたバネ部４５Ｄにより、操作部４５Ｃがムーブメント２の外周から突出する方向に常時付勢されている。
そして、利用者が、ケース３から操作部４５Ｃを押し込むと、月齢修正レバー４５の修正送り爪４５Ｂが移動して月齢車４１を１ピッチ分回転する。従って、必要な回数だけ操作部４５Ｃを押すことで、月齢車４１を必要な位置まで回転して月齢車４１による月齢表示を手動修正できる。
【００２９】
［曜表示部］
曜表示部３０は、前記曜指示針３１、目盛３２の他に、図２，４にも示すように、曜回し車３３と、曜星車３４と、曜抑制ジャンパ３５とを備えている。
【００３０】
曜回し車３３は、月齢回し車４３と同様に、前記カレンダー下座４７に回転自在に軸支され、前記筒車１５の筒歯車１５Ａに噛み合って配置されている。この際、曜回し車３３は、筒車１５が２回転すると１回転する減速比に設定され、月齢回し車４３と同じく１日で１回転する。
この曜回し車３３には、バネ部３３Ｃを介して曜星車送り爪３３Ａ，３３Ｂが設けられている。曜星車送り爪３３Ａ，３３Ｂは、円周方向に離れて形成され、一方の爪３３Ａで曜星車３４の１つの歯を送ると、続いて他方の爪３３Ｂで曜星車３４の次の歯を送るように設定されている。従って、曜回し車３３が１日に１回転すると、各爪３３Ａ，３３Ｂが曜星車３４の歯に係合するタイミングで２歯分回転する。例えば、午後１１時〜午前１時の間に前記爪３３Ａ，３３Ｂで曜星車３４が回転する。
そして、曜星車３４の歯数は１４とされているので、曜星車３４は１日毎に間欠的に回転し、１週間（７日）で１回転する。
【００３１】
曜星車３４の軸には、曜指示針３１が取り付けられている。このため、曜指示針３１は１週間で１回転する。従って、目盛３２は、３６０／７度の間隔で設けられ、前記曜指示針３１が目盛３２を指示することで、現在の曜日を指示することができる。
曜抑制ジャンパ３５は、前記曜星車３４の歯溝に係合している。これにより、曜星車３４のがたつきやふらつきが抑止されている。
【００３２】
［２４時間周期表示部］
２４時間周期表示部２０は、前記２４時指示針２１、目盛２２の他に、図２，４にも示すように、２４時中間車２３と、２４時表示車２４とを備えている。
２４時中間車２３は、カレンダー押さえ２５と、カレンダースペーサ４６とで回転自在に軸支され、筒車１５の外周に一体に取り付けられた日回し中間歯車１６に噛み合っている。また、２４時表示車２４は前記２４時中間車２３に噛み合っている。
２４時表示車２４は、筒状の中心軸部に前記曜星車３４の回転軸が挿通され、この筒状の中心軸部に前記２４時指示針２１が取り付けられている。また、２４時表示車２４の中心軸部は、カレンダースペーサ４６の孔に挿通されてガイドされている。
ここで、２４時表示車２４の歯数は、日回し中間歯車１６の２倍であるため、筒車１５および日回し中間歯車１６が１日に２回転すると、２４時表示車２４および２４時指示針２１は、連動して１日に１回転する。
なお、曜指示針３１は、曜星車送り爪３３Ａ，３３Ｂによって１日毎に間欠的に回転するが、２４時表示車２４および２４時指示針２１は、筒車１５および中間歯車１６の回転に伴い、連続的に回転する。
【００３３】
［日表示部］
日表示部６０は、日指示針６１、日付目盛６２の他に、図２，５，６に示すように、一日回し車６３、日星車６４、日星かな６５、日星抑制ジャンパ６６を備えている。なお、図６は、図２において、日表示部６０および一年周期表示部５０の要部のみを記載した図である。
【００３４】
一日回し車６３は、カレンダー下座４７に回転自在に軸支され、日回し中間歯車１６に噛み合っており、筒車１５および日回し中間歯車１６が１日に２回転すると、１回転するように設定されている。
一日回し車６３には、バネ部６３Ｃを介して日星車送り爪６３Ａが設けられている。そして、一日回し車６３が１日で１回転すると、前記日星車送り爪６３Ａが日星車６４に係合し、日星車６４は１歯分回転する。
【００３５】
日星車６４の歯数は３１とされている。従って、日星車６４は、３１日経過すると１回転することになる。日星車６４の軸には、前記日指示針６１が取り付けられており、日指示針６１も１日毎に１目盛分だけ間欠的に回転し、１〜３１日の目盛を指示する。従って、本発明の第１歯車は日星車６４によって構成され、日表示部材は日指示針６１を備えて構成されている。そして、日指示針６１によって、現在の日付（年月日）のうちの「日」を指示することができる。
日星かな６５は、日星車６４の軸に固定されており、日星車６４と一体に回転する。
日星抑制ジャンパ６６は、前記日星車６４の歯溝に係合している。これにより、日星車６４のがたつきやふらつきが抑止されている。
【００３６】
［一年周期表示部］
一年周期表示部５０は、一年周期指示針５１、一年周期指示板５２の他に、図２，５，６に示すように、月次中間歯車５３、月次中間かな５４、月次表示車５５を備えている。
月次中間歯車５３は、カレンダー下座４７に回転自在に軸支され、日星かな６５に噛み合っている。ここで、日星かな６５の歯数は３０、月次中間歯車５３の歯数は４５であるため、日星かな６５が１２回転すると、月次中間歯車５３は８回転するように設定されている。
月次中間かな５４は、月次中間歯車５３の軸に取り付けられて、月次中間歯車５３と一体に回転する。
【００３７】
月次表示車５５は、筒状の中心軸が前記日星車６４の軸に挿通され、この軸によって回転自在に軸支されている。そして、月次表示車５５は、前記月次中間かな５４に噛み合っている。ここで、月次中間かな５４の歯数は１０、月次表示車５５の歯数は８０であるため、月次中間かな５４が８回転すると、月次表示車５５は１回転する。月次中間かな５４および月次中間歯車５３は、日星車６４および日星かな６５が１２回転すると、つまり１２ヶ月が経過すると、８回転するため、月次表示車５５は一年で１回転する。
そして、この日星車６４から日星かな６５、月次中間歯車５３、月次中間かな５４、月次表示車５５までは減速輪列として連動しているため、日星車６４が１日に１歯分回転すると、月次表示車５５も対応する角度分、回転する。具体的には、月次表示車５５は、日指示針６１および日星車６４が１日分回転する毎に、３６０／（１２×３１）＝約０．９７度回転し、月次表示車５５の軸に取り付けられた一年周期指示針５１も同じ角度だけ移動する。
従って、本発明の第２歯車は月次表示車５５によって構成され、一年周期表示部材は一年周期指示針５１を備えて構成されている。
【００３８】
一年周期指示板５２には、前述のとおり、一年の間の昼と夜の時間の変化を示す図が表示されているため、利用者は、一年周期指示針５１の指示により、現在、昼の時間が長い季節か、夜の時間が長い季節かなどを把握することができる。
【００３９】
［指針修正機構］
次に、本実施形態の時計１における各指針の修正機構について説明する。
本実施形態では、分針１２、時針１３は、リュウズ８０を２段目に引き出し、回転させることで修正するように構成されている。このような時分針の修正機構は公知の技術であるため、説明を省略する。
また、２４時指示針２１は、時針１３が取り付けられた筒車１５に連動するため、時針１３の修正に連動して修正される。
【００４０】
一方、曜指示針３１、月齢車４１、一年周期指示針５１、日指示針６１は、前記モータ駆動による時分針の修正と連動させて修正すると、非常に時間が掛かり、モータを駆動する電源（電池）の消費エネルギーも大きくなるため、別途手動で修正できる機構を設けている。
【００４１】
［月齢車の修正］
月齢車４１は、前述したように、月齢修正レバー４５を操作することで、手動で修正できる。この際、本実施形態では、月齢車送り爪４３Ａは、午前０時頃に月齢車４１に係合するように設定されており、それ以外の時間は月齢車４１に係合していない。この月齢車送り爪４３Ａが月齢車４１に係合していない状態では、月齢車４１には月齢抑制ジャンパ４４のみが係合しているため、月齢抑制ジャンパ４４を変位させて月齢車４１を回転できる力を月齢修正レバー４５に与えることで月齢車４１を容易に回転できる。
【００４２】
［日指示針および一年周期指示針の修正］
日指示針６１および一年周期指示針５１の修正は、図２，７〜９に示すように、巻真８１、オシドリ８２、カンヌキ８３、切換レバー８４、ツヅミ車８５、小鉄車８６、第一カレンダー修正伝え車８７、第二カレンダー修正伝え車８８、第三カレンダー修正伝え車８９、日修正伝え車９０を用いて行う。なお、図８は、図２において、指針の修正機構の要部を抜き出して記載したものであり、図９はさらに修正機構の要部を抜き出して記載したものである。
【００４３】
日指示針６１および一年周期指示針５１を修正するには、リュウズ８０を１段目に引き出して巻真８１を軸方向に移動し、オシドリ８２、カンヌキ８３、切換レバー８４を移動して、ツヅミ車８５を小鉄車８６側に移動して噛み合わせる。
小鉄車８６は、第一カレンダー修正伝え車８７と一体で回転し、前記切換レバー８４に軸支されている。
第一カレンダー修正伝え車８７は、第二カレンダー修正伝え車８８を介して第三カレンダー修正伝え車８９に噛み合う。第三カレンダー修正伝え車８９は、第二カレンダー修正伝え車８８の回転方向により、カレンダー下座４７に設けられた溝上を揺動する構造となっている。この際、リュウズを反時計回りに回転させると第三カレンダー修正伝え車は日修正伝え車９０と噛み合う位置に移動する。日修正伝え車９０は、日星車６４にも噛み合っているため、ツヅミ車８５、小鉄車８６、第一カレンダー修正伝え車８７、第二カレンダー修正伝え車８８、第三カレンダー修正伝え車８９、日修正伝え車９０を介して日星車６４が回転する。そして、日星車６４に連動して月次表示車５５も回転するため、リュウズを１段引き出して、反時計回りに回転させることで、日指示針６１および一年周期指示針５１を修正できる。
【００４４】
この際、日星車６４を回転する日星車送り爪６３Ａは、午前０時頃に日星車６４に係合するように設定されており、それ以外の時間は日星車６４に係合していない。この状態では、日星車６４には日星抑制ジャンパ６６のみが係合しているため、日星抑制ジャンパ６６を変位させて日星車６４を回転できる力を巻真８１に与えることで日星車６４および月次表示車５５を修正できる。
【００４５】
［曜指示針の修正］
曜指示針３１の修正は、日指示針の修正と同様にリュウズ８０を１段目に引き出して巻真８１を軸方向に移動して行う。この際、オシドリ８２、カンヌキ８３、切換レバー８４も同時に移動する。リュウズ８０を１段目に引き出した状態で、時計回りに回転させると第三カレンダー修正伝え車８９は、図９に２点鎖線で示す位置に移動する。
この状態では、第三カレンダー修正伝え車８９は、第一曜修正伝え車９１に噛み合う。第一曜修正伝え車９１は、第二曜修正伝え車９２を介して曜星車３４に噛み合っている。このため、巻真８１を時計回りに回転すると、ツヅミ車８５、小鉄車８６、第一カレンダー修正伝え車８７、第二カレンダー修正伝え車８８、第三カレンダー修正伝え車８９、第一曜修正伝え車９１、第二曜修正伝え車９２を介して曜星車３４が回転する。曜星車３４の回転に伴い、曜指示針３１の指示位置を修正できる。
【００４６】
この際、曜星車３４を回転する曜星車送り爪３３Ａ，３３Ｂは、午前０時頃に曜星車３４に係合するため、それ以外の時間は曜星車３４に係合していない。この状態では、曜星車３４には曜抑制ジャンパ３５のみが係合しているため、曜抑制ジャンパ３５を変位させて曜星車３４を回転できる力を巻真８１に与えることで曜星車３４を修正できる。
【００４７】
［時計の動作］
次に、本実施形態の時計１の２４時間周期表示部２０、曜表示部３０、月齢表示部４０、一年周期表示部５０、日表示部６０の動作について説明する。
時計１では、駆動源であるステップモータの駆動により、一般的な時計と同様に、秒針１１、分針１２、時針１３が回転駆動する。このため、時針１３が取り付けられた筒車１５は、１２時間で１回転するスピードで回転する。
筒車１５の回転は、日回し中間歯車１６、２４時中間車２３を介して２４時表示車２４に伝達され、２４時表示車２４に取り付けられた２４時指示針２１は１日に１回転するスピードで連続的に運針する。このため、利用者は、２４時指示針２１の指示を目盛２２で確認することで、現在の時刻を２４時間表示で確認することができる。
【００４８】
また、筒車１５の回転に連動し、曜回し車３３、月齢回し車４３、一日回し車６３は１日に１回転するスピードで回転する。
これらの各車３３，４３，６３に設けられた曜星車送り爪３３Ａ，３３Ｂ、月齢車送り爪４３Ａ、日星車送り爪６３Ａは、午前０時頃に曜星車３４、月齢車４１、日星車６４に係合するように設定されている。
従って、曜星車３４は、曜回し車３３の曜星車送り爪３３Ａ，３３Ｂにより、午前０時頃に３６０／１４度分回転する。このため、曜指示針３１は、１日に１回、次の曜日を示す目盛３２の位置まで移動する。
【００４９】
また、月齢車４１は、月齢回し車４３の月齢車送り爪４３Ａにより、午前０時頃に３６０／５９＝約６.１度分回転する。このため、月齢車４１は、１日に１回、前記角度だけ回転し、文字板４の表示窓４２からの表示内容も変化し、利用者はこの表示によって現在の月齢を把握することができる。
【００５０】
日星車６４は、一日回し車６３の日星車送り爪６３Ａにより、午前０時頃に３６０／３１＝約１１．６度分回転する。このため、日指示針６１は、１日に１回、次の日付を示す日付目盛６２の位置まで移動する。
また、日星車６４の回転は、日星かな６５、月次中間歯車５３、月次中間かな５４を介して月次表示車５５に伝達する。このため、月次表示車５５に取り付けられた一年周期指示針５１は、１日に１回、３６０／３７２（＝３１×１２）＝約０．９７度の角度分、回転する。従って、一年周期指示針５１は、日指示針６１の運針に連動し、１日ごとにステップ運針して一年で一回転する。このため、利用者は、一年周期指示針５１の指示を、一年周期指示板５２に記載された図柄と対比して確認することで、例えば、これから昼の時間が長くなる初夏の季節である等、一年間の時間経過における現在の時期を把握することができる。
【００５１】
［日指示針の修正］
本実施形態では、日指示針６１は、３１日経過すると１回転する。このため、一ヶ月が３１日ある大の月（１，３，５，７，８，１０，１２月）から次の月に切り替わる場合には、日指示針６１の指示を修正する必要はない。一方、一ヶ月が３１日未満である小の月から次の月に切り替わる場合には、自動的に１日に切り替わるようになっていないため、前述したようにリュウズ８０を１段目に引き出して日指示針６１の指示を修正すればよい。
【００５２】
［第１実施形態の作用効果］
（１）月次表示車５５は、１日に所定角度回転する日星車６４の回転が減速して伝達されるため、月次表示車５５は１日経過するごとに所定角度回転される。このため、月次表示車５５で駆動される一年周期指示針５１も、１日経過するごとに所定角度移動するため、従来の月表示のように、指針が１ヶ月間固定した位置に停止することがない。このため、一年周期指示針５１は、連続送り指示を行うことができ、利用者は、現在の季節などを日々経過する時間感覚で把握できる。従って、本実施形態の時計１によれば、一年周期指示針５１および一年周期指示板５２によって、現在の季節などを利用者が直感的に把握しやすい表示を行うことができる。
【００５３】
（２）一年周期指示針５１および日指示針６１は、同軸上に設けられているので、各々を別々の位置に配置する場合に比べて、時計１における各指示針５１，６１を配置するために必要なスペースを小さくでき、スペース効率を向上できる。このため、時計１では、文字板４の３時位置に、一年周期指示針５１および日指示針６１を配置する他に、１２時位置に、月齢車４１を配置し、６時位置に、２４時指示針２１および曜指示針３１を配置することができ、様々なカレンダー情報を表示できる多針時計を構成することができる。
【００５４】
（３）同軸上に配置される一年周期指示針５１および日指示針６１は、一年周期指示針５１を短針、日指示針６１を長針とし、日指示針６１が１回転すると、一年周期指示針５１が３６０／１２＝３０度回転する。このため、通常の時分針と同様の動作となるため、利用者も一年周期の情報と、日の情報とを違和感なく把握できる。
【００５５】
（４）月次表示車５５は、日星車６４に対して、日星かな６５、月次中間歯車５３、月次中間かな５４を備えた減速輪列を介して連動しているため、日星車６４のみに日星抑制ジャンパ６６を係合させておけば、月次表示車５５にジャンパを係合させなくても一年周期指示針５１のふらつき、がたつきを抑制できる。このため、月次表示車５５用のジャンパを配置する必要が無く、時計１におけるスペース効率を向上できる。
【００５６】
（５）一年周期指示針５１が取り付けられる月次表示車５５は、その中心軸部分に前記日星車６４の軸が挿通され、日星車６４の軸で支持されている。そして、本実施形態では、日星車６４にジャンパが係合されていることで、日星車６４の軸の外側に支持された月次表示車５５にはジャンパを係合させる必要がない。このため、月次表示車５５にジャンパを押し当てた場合と異なり、月次表示車５５から内側の日星車６４の軸への圧力伝播を無くすことができる。従って、月次表示車５５および日星車６４の軸間の摩擦負荷を低減できて使用エネルギー効率を向上でき、摩擦負荷の増大による異常停止を抑止できる。
【００５７】
（６）また、月次表示車５５から日星車６４の軸に圧力が加わらないため、日星車６４の軸および月次表示車５５に中間パイプを介在させる必要が無く、日星車６４の軸で月次表示車５５を直接軸支することができる。このため、中間パイプを設ける必要が無く、スペース効率をより一層向上することができる。
【００５８】
（７）日星車６４に同軸で固定された日星かな６５上に接するように月次表示車５５を配置しているので、日星車６４、日星かな６５、月次表示車５５の部分の厚さ寸法を小さくできる。このため、ムーブメント２を薄型化できて省スペース化を図ることができる。
【００５９】
（８）時針１３や２４時指示針２１に比べて周期が長い、曜指示針３１、月齢車４１、一年周期指示針５１、日指示針６１を手動で修正できる機構を組み込んでいるため、これらをステップモータの駆動で修正する必要がない。従って、これらの修正を手動操作で迅速に行うことができ、修正による電力消費も低減できて省エネルギー化も実現できる。
【００６０】
（９）また、巻真８１の移動及びその回転方向を変えることで、第三カレンダー修正伝え車８９の噛み合いを、日修正伝え車９０および第一曜修正伝え車９１のいずれか一方に切り替えることができる。このため、巻真８１の引き出し位置は同一個所としたまま、回転方向を変えることで、一年周期指示針５１および日指示針６１の修正と、曜指示針３１の修正とを切り替えて実行できる。従って、それぞれの修正を別々の機構で行う場合に比べて、修正用の部品を少なくでき、スペース効率を向上できる。
【００６１】
（１０）本実施形態では、２４時指示針２１、曜指示針３１、月齢車４１、一年周期指示針５１、日指示針６１は、すべて筒車１５の回転に連動しているため、時分針の駆動源を利用して他の指針も駆動することができる。従って、時計１における駆動源は１つでよく、各指針用に別々の駆動源を設ける場合に比べて、スペース効率を向上できる。
【００６２】
［第２実施形態］
次に、本発明の第２実施形態について説明する。
第２実施形態の時計１Ｂは、図１０に示すように、一年周期表示部５０として、１〜１２月を示す目盛１０２が扇形の円弧部分に形成され、前記扇形の中心部分を回転軸として前記目盛部分を移動する月指示針１０１が設けられている。この月指示針１０１は、目盛１０２の１月を指示する始点位置から日指示針６１の回転に連動して、１日毎に所定角度移動し、１２月の次の目盛（終点である１月の目盛）に達すると、始点の１月の目盛まで戻り、再度１〜１２月の移動を行う、いわゆるレトログラードと呼ばれる機構で運針する。
【００６３】
また、時計１Ｂは、第１実施形態の２４時指示針２１を無くし、２４時表示車２４Ａの一部が文字板４から視認できるように開口を設けている。そして、１日に１回転する２４時表示車２４Ａの表面を二等分し、一方の領域に昼を示す太陽などを表示し、他方の領域に夜を示す星などを表示している。
その他の構成は前記第１実施形態と同じであるため、説明を省略する。
【００６４】
このような時計１Ｂにおいても、時針１３つまり筒車１５の回転に連動し、各指針や表示車が駆動する。
また、２４時表示車２４Ａは１日に１回転するため、利用者は、文字板４の開口から表示される絵柄を見ることで、朝、昼、夕方、夜などの現在の大まかな時間帯を容易に把握することができる。
さらに、月指示針１０１は、レトログラード針とされて扇形に移動するため、時計１Ｂのデザイン性を向上でき、利用者の様々な嗜好に答えることができる。その上、通常の月指示針は、月が切り替わるまで同じ位置に停止しているが、本実施形態の月指示針１０１は、１日経過する毎に僅かに移動するため、各目盛位置に対する月指示針１０１の指示位置を見れば、現在は、月の上旬、中旬、下旬のいずれであるかなども直感的に把握することができる。
【００６５】
なお、本発明は前記各実施形態に限定されない。
例えば、一年周期表示部として、前記第１実施形態では、昼と夜の時間の変化を図示した一年周期指示板５２上で一年周期指示針５１を回転させる構成を採用していたが、図１１に示すように、一年周期指示板５２に四季を示す文字や図形・絵を表示し、それらを一年周期指示針５１で指示する構成を採用してもよい。また、一年周期指示板５２に二十四節季の表示（例えば、立春、春分、立夏、夏至、立秋、秋分、立冬、冬至等）を組み込んで、一年周期表示部による指示をより細分化できるようにしてもよい。
【００６６】
さらに、前記第１実施形態では、一年周期指示針５１を回転して現在の時期（季節）を指示していたが、図１２に示すように、一年周期指示針５１の代わりに、円板状の一年周期指示板５２を回転させ、その上に、一部が切り欠かれた一年周期表示板５１Ｂを固定してもよい。すなわち、一年周期指示板５２を一年で１回転することで、一年周期表示板５１Ｂの切欠から表示される一年周期指示板５２の絵が変化し、これにより現在の時期（季節）を把握することができる。
【００６７】
また、前記実施形態では、時分秒の各指針から、２４時指示針２１、曜指示針３１、月齢車４１、一年周期指示針５１、日指示針６１の駆動まで、１つの駆動源で行っていたが、複数の駆動源を設けて駆動してもよい。
さらに、本発明の時計は、腕時計に限らず、懐中時計、置き時計、掛け時計などにも適用できる。
【図面の簡単な説明】
【００６８】
【図１】本発明の第一実施形態に係る時計の正面図。
【図２】第一実施形態に係るムーブメントの要部を示す平面図。
【図３】第一実施形態に係る２４時間周期表示部、曜表示部および月齢表示部を示す断面図。
【図４】第一実施形態に係る曜表示部および月齢表示部を示す断面図。
【図５】第一実施形態に係る一年周期表示部および日表示部を示す断面図。
【図６】第一実施形態に係る一年周期表示部および日表示部の要部を示す平面図。
【図７】第一実施形態に係る指針修正機構の要部を示す断面図。
【図８】第一実施形態に係る指針修正機構の要部を示す平面図。
【図９】第一実施形態に係る指針修正機構の要部を示す平面図。
【図１０】本発明の第二実施形態に係る時計を示す平面図。
【図１１】本発明の一年周期表示部の変形例を示す平面図。
【図１２】本発明の一年周期表示部の他の変形例を示す平面図。
【符号の説明】
【００６９】
１，１Ｂ…時計、２…ムーブメント、４…文字板、１３…時針、１５…筒車、１６…中間歯車、２０…２４時間周期表示部、２１…２４時指示針、２２…目盛、２３…２４時中間車、２４，２４Ａ…２４時表示車、３０…曜表示部、３１…曜指示針、３２…目盛、３３…曜回し車、３３Ａ，３３Ｂ…曜星車送り爪、３４…曜星車、３５…曜抑制ジャンパ、４０…月齢表示部、４１…月齢車、４２…表示窓、４３…月齢回し車、４３Ａ…月齢車送り爪、４４…月齢抑制ジャンパ、４５…月齢修正レバー、５０…一年周期表示部、５１…一年周期指示針、５２…一年周期指示板、５３…月次中間歯車、５５…月次表示車、６０…日表示部、６１…日指示針、６２…日付目盛、６３…一日回し車、６３Ａ…日星車送り爪、６４…日星車、６６…日星抑制ジャンパ、８０…リュウズ、８１…巻真、１０１…月指示針、１０２…目盛。
【図１】
2010121943.tif 000003
【図２】
2010121943.tif 000004
【図３】
2010121943.tif 000005
【図４】
2010121943.tif 000006
【図５】
2010121943.tif 000007
【図６】
2010121943.tif 000008
【図７】
2010121943.tif 000009
【図８】
2010121943.tif 000010
【図９】
2010121943.tif 000011
【図１０】
2010121943.tif 000012
【図１１】
2010121943.tif 000013
【図１２】
2010121943.tif 000014